(57)【特許請求の範囲】
【請求項１】
枢動自在なカバーによって閉じられ得るバッテリ区画を有する筐体であって、前記カバーは、前記筐体から着脱可能であり、ストリップは、バッテリが挿入されている場合に前記バッテリの下にあり、前記カバーを当該筐体へ係留する、前記筐体において、
前記カバーは、前記カバーが前記カバーの所定の開度まで前記筐体へ枢動自在に接続されるように、前記バッテリ区画内の開口において係合するアームを備え、
前記カバーは、前記所定の開度を超えて枢動することによって、前記筐体から離脱され得ることを特徴とする筐体。
【請求項２】
前記ストリップは、前記カバーの側辺に留められ、前記バッテリ区画内では、前記バッテリ区画の第１側壁において前記筐体に留められ、前記第１側壁は、前記カバーがヒンジ結合されている前記バッテリ区画の第２側壁と対向すること特徴とする請求項１に記載の筐体。
【請求項３】
前記アームは、それらの自由端に向かって円錐状に設計されることを特徴とする、請求項１又は２に記載の筐体。
【請求項４】
前記カバーは、バネ手段によって開放位置へと付勢されることを特徴とする、請求項１乃至３のうち何れか１項に記載の筐体。
【請求項５】
前記カバーは、つかみ面を設ける滑り止め表面構造を備えることを特徴とする、請求項１乃至４のうち何れか１項に記載の筐体。
【請求項６】
前記ストリップは、接合部によって互いに接続されている複数のセグメントから成るプラスチック製ストリップであることを特徴とする、請求項１乃至５のうち何れか１項に記載の筐体。
【請求項７】
前記接合部は、弾性であり、前記プラスチック製ストリップを伸長位置へと付勢することを特徴とする、請求項６に記載の筐体。
【請求項８】
前記バッテリ区画は、前記バッテリが挿入される場合に前記ストリップを受容する凹所を備えることを特徴とする、請求項１乃至７のうち何れか１項に記載の筐体。
【請求項９】
前記カバーは、位置決めリブを設けられることを特徴とする、請求項１乃至８のうち何れか１項に記載の筐体。
【請求項１０】
前記ストリップは、前記バッテリを保持する取り付けバーを備えることを特徴とする、請求項１乃至９のうち何れか１項に記載の筐体。
【請求項１１】
枢動自在なカバーによって閉じられ得るバッテリ区画を有する筐体を備えた電子機器であって、前記カバーは、前記筐体から着脱可能であり、ストリップは、バッテリが挿入されている場合に前記バッテリの下にあり、前記カバーを前記筐体へ係留する、前記電子機器において、
前記カバーは、前記カバーが前記カバーの所定の開度まで前記筐体へ枢動自在に接続されるように、前記バッテリ区画内の開口において係合するアームを備え、
前記カバーは、前記所定の開度を超えて枢動することによって、前記筐体から離脱され得ることを特徴とする電子機器。
【請求項１２】
前記カバーは、バネ手段によって開放位置へと付勢されることを特徴とする、請求項１１に記載の電子機器。
【請求項１３】
前記ストリップは、接合部によって互いに接続されている複数のセグメントから成るプラスチック製ストリップであることを特徴とする、請求項１１又は１２に記載の電子機器。
【請求項１４】
前記電子機器は、リモートコントロールである、請求項１１乃至１３のうち何れか１項に記載の電子機器。
【請求項１５】
前記電子機器は、スマートフォンである、請求項１１乃至１３のうち何れか１項に記載の電子機器。
【発明の詳細な説明】
【技術分野】
【０００１】
本発明は、カバーによって閉じられ得るバッテリ区画を有する筐体に関する。特に、本発明は、ポータブル電気装置のためのそのような筐体に関する。
【背景技術】
【０００２】
多くのポータブル電気装置は、バッテリによって動作する。それらのバッテリは、化学反応を用いて電気エネルギを生成する一次電池、又は最初に他の電源によって充電されてから、保持されている電気エネルギを放つことができる二次電池である。最初の場合に、バッテリは、それらが使い果たされると、交換されなければならない。同じことは、電気装置が外部からの如何なる充電接続も提供しない場合に、２番目の場合にも当てはまる。これは、例えば、エンターテイメント・エレクトロニクスにおけるデバイスのためのリモートコントロール、又は電気時計において、よくあることである。そのようなデバイスにおいて、バッテリは、通常は、カバーを離脱し、引っ張り出し、又は枢動することによって開かれ得るバッテリ区画において収容されている。バッテリ区画が開かれると、ユーザはバッテリに触ることができる。ユーザは、次いで、バッテリ区画からバッテリを取り外し、それらを新しい又は充電されたバッテリと交換する。通常は、しかしながら、以上のバッテリ区画は、デバイスの筐体においてスペースを確保するために、非常に窮屈である。更には、使い果たされたバッテリは、弾性のある電気接点の締め付け力に対して窮屈な筐体から取り外されなければならない。このタスクは、年齢又は病気に関連して制限された器用さを有する人にとっては容易でない。従って、本発明は、このタスクを容易にするバッテリ区画を有する筐体を提案する。
【発明の概要】
【０００３】
枢動可能なカバーによって閉じられ得るバッテリ区画を有する筐体が提案される。ねじり耐性のストリップは、バッテリが挿入されている場合にストリップがバッテリの下にあるように、カバーを筐体へ接続する。カバーは、筐体から離脱可能であり、ストリップによって筐体へ係留される。
【０００４】
一実施形態において、ストリップは、カバーの側辺で、且つ、バッテリ区画内では、バッテリ区画の第１側壁において、筐体へ固定される。前記第１側壁は、カバーがヒンジ結合されるバッテリ区画の第２側壁に対向する。
【０００５】
適切な実施形態において、カバーは、カバーがカバーの所定の開度まで筐体へ枢動可能に接続されるようにバッテリ区画内の開口において係合するアームを備える。カバーが所定の開度を超えて枢動される場合にのみ、カバーは筐体から離脱可能である。カバーが筐体から離脱される場合に、それは、ユーザのための保持片となり、該ユーザがストリップを用いてバッテリ区画からバッテリを持ち上げることを可能にする。
【０００６】
有利なことに、アームは、アームを筐体内の関連する開口内に挿入するのを助けるよう、それらの自由端に向かって円錐状に設計され得る。
【０００７】
カバーは、カバーを開くのを助けるよう、バネ手段によって開口位置へと付勢され得る。これは、カバーが、閉じられた状態から解放された後に、開放位置へと勢いよく開くからである。
【０００８】
有利な実施形態において、カバーは、つかみ面を設ける滑り止め表面構造を備える。滑り止め表面構造は、ユーザがバッテリを取り外しながらカバーを手に持つよう自身の指により発揮しなければならない押圧を減らす。適切に、滑り止め表現構造は、カバーのいずれかの面上に設けられる。
【０００９】
一実施形態において、ストリップは、接合部によって互いに接続されている複数のセグメントから成るプラスチック製ストリップである。この場合に、接合部は、望ましくは、弾性であり、プラスチック製ストリップを伸長位置へと付勢する。有利な改良において、接合部は、フィルムヒンジとして設計される。
【００１０】
バッテリ区画は、バッテリ区画の壁面又は底面が平らであるように、バッテリが挿入される場合にプラスチック製ストリップを受容する凹所を備える点で、有利である。
【００１１】
１つの有利な実施形態において、カバーは、位置決めリブを設けられ、該位置決めリブは、同時に、ユーザがバッテリを取り外しながらカバーを手に持つのを助ける面としての機能を果たす。
【００１２】
ストリップは、バッテリを保持する取り付けバーを設ける点で、有利である。取り付けバーは、バッテリがバッテリ区画から持ち上げられた時点でバッテリが落下するのを防ぐ。
【００１３】
更なる利点及び特徴は、提案される筐体の複数の実施形態の詳細な説明において開示される。
【図面の簡単な説明】
【００１４】
図面は、本発明の実施形態を示す。
【図１Ａ】バッテリ区画を有する、本発明に従う筐体の詳細の斜視上面図である。
【図１Ｂ】カバーが離脱されている図１のバッテリ区画の断面図である。
【図１Ｃ】図１Ｂのバッテリ区画の変形実施形態の詳細を示す。
【図２Ａ】図１Ａのバッテリ区画の変形実施形態の断面図である。
【図２Ｂ】図１Ａのバッテリ区画の変形実施形態の断面図である。
【図２Ｃ】図１Ａのバッテリ区画の変形実施形態の断面図である。
【図３】図１Ａのバッテリ区画の更なる変形実施形態の断面図である。
【図４】本発明に従う筐体を有するモバイル電子機器を示す。  図において、同じ又は類似する部分は、同じ又は類似する参照符号を夫々有している。
【発明を実施するための形態】
【００１５】
図１Ａは、関連するバッテリ区画１０２を有する、本発明に従う筐体の詳細１０１を示す。図１Ａに示されていない筐体の部分は、従来の部分であり、本発明と無関係である。立方形のバッテリ区画１０２は、バッテリ区画１０２の上端１０４に配置されている枢動可能なカバー１０３を備える。上端１０４に面したカバー１０３の側辺１０６で、カバー１０３は２つのアーム１０７を備える。アーム１０７は、割り当てられた開口１０８において係合し、開口１０８と協働して滑節を形成する。その滑節の周りを、カバー１０３は枢動され得る。更には、アーム１０７は、カバー１０３が閉じられる場合にカバー１０３をロックする働きをする。バッテリ区画１０２は、第２側壁１０９に対向する第１側壁１１１と、電気接点１１４を設けられている２つの前側１１２、１１３とを備える。開口１０８は、第２側壁１０９において配置されている。最後に、バッテリ区画１０２は、底面１１６を設けられる。バッテリ区画１０２の特段の特徴は、側壁１１１の上端１１８から底面１１６に沿ってカバー１０３の側辺１０６へ延在するストリップ１１７である。その各々の端部により、ストリップ１１７は、上端１１８及びカバー１０３の側辺１０６へ夫々固定される。ストリップ１１７は、その長手方向においてねじれ耐性を有して設計される。その横断方向では、しかしながら、それは、バッテリ区画１０２の内部の形勢に適応するように変形可能である。
【００１６】
カバー１０３は、その２つの主たる面１１９において、構造化されたつかみ面１２１を備える。つかみ面１２１は、ユーザの指が滑らずに保持することができるようにする。バッテリ区画１０２の内部に面する方のカバー１０３の主たる面１１９は、カバー１０３が閉じられるときに締められることを可能にする切り欠きバー１２２を備える。
【００１７】
アーム１０７は、カバー１０３がカバー１０３の所定の開度α（例えば、１２０°）まで筐体へ枢動可能に接続されるように、形成される。当然のことながら、前述の所定の開度αは、他の実施形態では、より小さく又はより広く選択され得る。カバー１０３が所定の開度αを超えて枢動される場合にのみ、アーム１０７は開口１０８から外され、カバー１０３は筐体から離脱され得る。これは、図１Ａでは、カバー１０３がバッテリ区画１０２から少し離して表されており、アーム１０７が開口１０８においてもはや係合していないことによって、示されている。
【００１８】
アーム１０７が開口１０８から外されると、ユーザは、カバー１０３が、例えば、図１Ｂで示される位置に達するまで、上方へ右手に動かすことができる。開放動作の過程で、バッテリ区画１０２に挿入されているバッテリ（図１Ａ及び１Ｂに図示せず。）は、ストリップ１１７によって、引き連れられて、バッテリ区画１０２からすくい上げられる。カバー１０３は、この動作のために、ユーザに、大きく且つ滑らないつかみ面１２１を提供する。結果として、指の可動性が制限されているユーザ又は器用さが制限されているユーザでさえ、電気接点１１４がバッテリに及ぼす締め付け力に容易に打ち勝つことができる。この配置は、バッテリ区画１０２からバッテリを取り出すために、ユーザの指において、従来のバッテリ区画で必要とされるよりもずっと小さい力しか必要としない。これは、自身の指によりほんの少ししか力を発揮することができない全ての人達にとって相当の利点である。
【００１９】
図１Ｂは、ストリップ１１７を剛性のＵ型として示す。本発明の斯様な実施形態は、一般的に考えられる。しかし、剛性のＵ型は、それが、特に、器用さが制限されており、提案される筐体の標的集団を特に形成する人達にとって、高い破損リスクを伴う点で不利である。
【００２０】
この理由により、図１Ｃにおいて詳細が示されている、ストリップ１１７の更なる実施形態は、３つの個別的なセグメント１２３ａ、１２３ｂ及び１２３ｃから形成される。セグメント１２３ａ、１２３ｂ及び１２３ｃは、フィルムヒンジ１２４ａとして形成される接合部によって互いに接続されており、接合部１２４ｂによって側壁１１１及びカバー１０３で夫々ヒンジ結合される。この実施形態では、接合部１２４ｂもフィルムヒンジとして形成される。セグメント１２３ａ、１２３ｂ及び１２３ｃから成るストリップを有する実施形態において、ストリップ１１７は、接合部、すなわち、フィルムヒンジ１２４ａ、１２４ｂの近くでのみ変形可能である。
【００２１】
１つのセグメントは、Ｕ型の２つのレッグ又はバーのうちの１つを夫々形成する。セグメントから成るそのようなプラスチック製ストリップ１１７について、破損リスクはほんのわずかである。それでもなお、それは、同様に完ぺきな様態において、カバー１０３によって、挿入されているバッテリをバッテリ区画１０２からすくい上げるという機能を果たす。
【００２２】
バッテリは、バッテリのすくい上げに対して逆順序の動作においてバッテリ区画１０２に挿入される。カバー１０３はその初期位置に戻され、その位置で、ストリップ１１７はバッテリ区画１０２の内部に折り込まれる。バッテリは、次いで、上からバッテリ区画１０２に押し込まれ得る。これは、窮屈なバッテリ区画からのバッテリのすくい上げと比べて、ほとんど器用さを要しない。バッテリが挿入されると、カバー１０３のアーム１０７は開口１０８に組み込まれ、カバー１０３は閉じられる。このとき、切り欠きバー１２２は締められ、カバー１０３を閉じておく。ねじり耐性のストリップ１１７は、開口１０８へのアーム１０７の組み込みを助ける。これは、そのようなストリップ１１７が、ユーザがカバー１０３及びアーム１０７を夫々適切な位置に導くのを助けるからである。これはまた、カバー１０３を適切に閉じるのを助ける。
【００２３】
バッテリが取り外された後に緩いが離脱しにくい様態においてカバー１０３がストリップ１１７からぶら下がっているという事実は、ユーザに、バッテリを挿入する前に、カバー１０３をその動作位置に戻させる。すなわち、アーム１０７を開口１０８に組み込ませる。その中で、ストリップ１１７は、それ自身をバッテリ区画１０２内に置いて、その後に挿入されるバッテリの下にあるようにする。加えて、アーム１０７は、たとえカバー１０３がバッテリ区画１０２に対してわずかに外れた位置にあるとしても、カバー１０３が閉じられるときに自動的に正確に位置付けられるように、構成され得る。これを達成するよう、アーム１０７は、例えば、円錐状に設計される。たとえ、バッテリが挿入される前に、カバー１０３がその動作位置に不完全にしか置かれていないとしても、挿入されるバッテリ１２７によって押し下げられているバー１２９及びアーム１０７は、カバー１０３の正確な位置付けをもたらす。
【００２４】
更なる実施形態において、ストリップ１１７は繊維テープとして設計される。繊維テープは、その横断方向において、バッテリ区画１０２の内部形勢に適応することができるように十分に可撓性であり、同時に、アーム１０７が確実に開口１０８に侵入することを確かにするようカバー１０３を正確な位置へ導くのに十分であるねじり耐性を備える。
【００２５】
図１Ｂは、凹所１２６がその内部において見られるようにバッテリ区画１０２を示す。凹所１２６は、凹所１２６がストリップ１１７を完全に受容し、バッテリ区画１０２の底面及び側壁が平らであるように、構成される。これは、バッテリが、挿入されると、バッテリ区画１０２においてガタガタと動かないことを確かにする。
【００２６】
図２Ａ乃至２Ｃは、本発明に従う筐体のバッテリ区画の断面図である。図２Ａは、バッテリ区画１０２内にある２つのバッテリ１２７を示す。カバー１０３は、開放位置へ枢動されている。図２Ｂにおいて、カバー１０３はバッテリ区画１０２から離脱されて、上方向に動かされている。ストリップ１１７は、バッテリ区画１０２からバッテリをすくい上げている。最後に、図２Ｃは、バッテリ１２７がストリップ１１７から如何にして容易に取り外されるかを示す。
【００２７】
図２Ａ乃至２Ｃに示される実施形態において、カバー１０３は、位置決めリブ１２８を更に設けられている。位置決めリブ１２８は、挿入されているバッテリをバッテリ区画１０２において更に位置決めして固定し、同時に、カバー１０３のつかみやすさを改善する。
【００２８】
図３に示される本発明の変形実施形態において、ストリップ１１７は、バッテリ１２７がストリップ１１７から簡単に抜け落ちないようにするよう、追加の取り付けバー１２９を設けられる。
【００２９】
有利な改良において、ストリップ１１７は、取り付けバー１２９に沿ってストリップ１１７が弱い締め付け力をバッテリ１２７に働かせるように、圧縮応力を与えられる。この締め付け力は、しかしながら、電気接点１１４によって発揮される締め付け力よりも弱い。その上、ユーザは、ストリップ１１７から簡単にバッテリ１２７を取り外すことができる。これは、バッテリ１２７が窮屈なバッテリ区画１０２にもはやなく、それらの前側が容易に手に取りやすいからである。結果として、ユーザは、バッテリを容易につかむことができる。
【００３０】
更なる実施形態において、カバー１０３は、最終的に、バネ手段によって開放位置へ付勢される。解除ボタンが押されると、カバー１０３は勢いよく開き、これによって、バッテリを交換するための器用さによって満足されるべき要件は、更に一層軽減される。バネ手段は、例えば、カバー１０３が閉じられているときに圧縮される弾性材料であることができるが、ストリップ１１７とカバー１０３との間にある、わずかに圧縮応力を加えられたフィルムヒンジであってもよい。
【００３１】
更なる有利な実施形態において、バッテリ又は複数のバッテリの正確な位置付けを示す標示は、カバー１０３において付けられる。これまで通例であった、自由なバッテリ区画カバーと対照的に、カバー１０３はバッテリ区画１０２に対して常に正確な位置にあるので、標示は、バッテリ又は複数のバッテリの正確な極性を常に示す。更には、カバー１０３において付けられた標示は、バッテリ区画の底面上の標示よりも、視覚障害がある人によって容易に認識され得る。これを達成するよう、標示は、触れることができる又は触知できるように構成され得る。これは、窮屈なバッテリ区画の底面上に設けられた標示によってはほとんど不可能である。
【００３２】
図４は、本発明に従う筐体を備える電子機器の例としてスマートフォン１３０を示す。
【００３３】
実施形態の説明は常にバッテリについて述べてきたが、本発明は、一般的に、モバイル電子機器における燃料電池のための燃料タンクにも適用可能である。この趣旨で、語「バッテリ」は、以上の幅広い意味で燃料タンクを意味すると理解され得る。  
上記の実施形態に加えて、以下の付記を開示する。
（付記１）
枢動自在なカバーによって閉じられ得るバッテリ区画を有する筐体であって、前記カバーは、当該筐体から着脱可能であり、ストリップは、バッテリが挿入されている場合に前記バッテリの下にあり、前記カバーを当該筐体へ係留する、前記筐体において、
前記ストリップは、ねじり耐性のストリップである、ことを特徴とする筐体。
（付記２）
前記ストリップは、前記カバーの側辺に留められ、前記バッテリ区画内では、該バッテリ区画の第１側壁において当該筐体に留められ、前記第１側壁は、前記カバーがヒンジ結合されている前記バッテリ区画の第２側壁と対向する、
こと特徴とする付記１に記載の筐体。
（付記３）
前記カバーは、該カバーが該カバーの所定の開度まで当該筐体へ枢動自在に接続されるように前記バッテリ区画内の開口において係合するアームを備え、
前記カバーは、前記所定の開度を超えて枢動することによって当該筐体から離脱され得る、
ことを特徴とする付記１に記載の筐体。
（付記４）
前記アームは、それらの自由端に向かって円錐状に設計される、
ことを特徴とする付記３に記載の筐体。
（付記５）
前記カバーは、バネ手段によって開放位置へと付勢される、
ことを特徴とする付記１に記載の筐体。
（付記６）
前記カバーは、つかみ面を設ける滑り止め表面構造を備える、
ことを特徴とする付記１に記載の筐体。
（付記７）
前記ストリップは、接合部によって互いに接続されている複数のセグメントから成るプラスチック製ストリップである、
ことを特徴とする付記１に記載の筐体。
（付記８）
前記接合部は、弾性であり、前記プラスチック製ストリップを伸長位置へと付勢する、
ことを特徴とする付記７に記載の筐体。
（付記９）
前記バッテリ区画は、前記バッテリが挿入される場合に前記ストリップを受容する凹所を備える、
ことを特徴とする付記１に記載の筐体。
（付記１０）
前記カバーは、位置決めリブを設けられる、
ことを特徴とする付記１に記載の筐体。
（付記１１）
前記ストリップは、前記バッテリを保持する取り付けバーを備える、
ことを特徴とする付記１に記載の筐体。
（付記１２）
枢動自在なカバーによって閉じられ得るバッテリ区画を有する筐体を備えた電子機器であって、前記カバーは、前記筐体から着脱可能であり、ストリップは、バッテリが挿入されている場合に前記バッテリの下にあり、前記カバーを当該筐体へ係留する、前記電子機器において、
前記ストリップは、ねじり耐性のストリップである、ことを特徴とする電子機器。
（付記１３）
前記カバーは、該カバーが該カバーの所定の開度まで前記筐体へ枢動自在に接続されるように前記バッテリ区画内の開口において係合するアームを備え、
前記カバーは、前記所定の開度を超えて枢動することによって前記筐体から離脱され得る、
ことを特徴とする付記１２に記載の電子機器。
（付記１４）
前記カバーは、バネ手段によって開放位置へと付勢される、
ことを特徴とする付記１２に記載の電子機器。
（付記１５）
前記ストリップは、接合部によって互いに接続されている複数のセグメントから成るプラスチック製ストリップである、
ことを特徴とする付記１２に記載の電子機器。
（付記１６）
当該電子機器は、リモートコントロールである、
付記１２乃至１５のうちいずれか一つに記載の電子機器。
（付記１７）
当該電子機器は、スマートフォンである、
付記１２乃至１５のうちいずれか一つに記載の電子機器。
【符号の説明】
【００３４】
１０１          筐体
１０２          バッテリ区画
１０３          カバー
１０４          バッテリ区画の上端
１０６          カバーの側辺
１０７          アーム
１０８          開口
１０９          バッテリ区画の第２側壁
１１１          バッテリ区画の第１側壁
１１２，１１３  前側
１１４          電気接点
１１６          底面
１１７          ストリップ
１１８          側壁１１１の上端
１１９          カバー１０３の主たる面
１２１          つかみ面
１２２          切り欠きバー
１２３ａ〜ｃ    セグメント
１２４ａ，ｂ    フィルムヒンジ
１２６          凹所
１２７          バッテリ
１２８          位置決めリブ
１２９          取り付けバー
１３０          スマートフォン
【図１ａ】
0006646053.tif 000002
【図１ｂ】
0006646053.tif 000003
【図１ｃ】
0006646053.tif 000004
【図２ａ−２ｃ】
0006646053.tif 000005
【図３】
0006646053.tif 000006
【図４】
0006646053.tif 000007